(57)【要約】【課題】本発明は、従来の照明装置の欠点を解決するため、一時的な照明を直ちに提供でき、且つ確実に便利な照明を得る緊急照明システムを提供することを目的とする。【解決手段】本発明は携帯用カード型の緊急照明システムを提供する。本発明の携帯用カード型の緊急照明システムは、カードと、カードに設けられた光源と、カードを保持し、電源を光源に提供する電源ソケットとを備えてなることを特徴とする。【選択図】図２
2012018897.tif 000002
【特許請求の範囲】
【請求項１】
カードと、
前記カードに設けられた光源と、
前記カードを保持し、電源を前記光源に提供する電源ソケットと、
を備えてなることを特徴とする照明システム。
【請求項２】
前記電源ソケットは、前記カードを保持するカートリッジ型の受け口と、
電池を保持し、前記カートリッジ型の受け口を電気的に接続するセル保持体と、
を更に含むことを特徴とする請求項１に記載の照明システム。
【請求項３】
前記電池は、二次電池又は光電池のいずれかであり、電力を前記光源に提供し、
前記光源は、フリップチップ発光ダイオード（ＬＥＤ）素子を含む光源モジュールであり、
前記フリップチップＬＥＤ素子は、面光源を提供し、
前記面光源は、１８０度の発光角度を有し、平坦な照明表面を有する
ことを特徴とする請求項１又は２に記載の照明システム。
【請求項４】
前記電池が、ＡＡ３号電池又はコイン型リチウム電池のいずれかであることを特徴とする請求項３に記載の照明システム。
【請求項５】
前記カートリッジ型の受け口は、開口部を有する第一パネルと、第二パネルとの二つのパネルから成る組み立て部品であり、
前記第一パネルと前記第二パネルとの間には凹槽があり、該凹槽に前記カードが差し込まれてなることを特徴とする請求項１〜４のいずれか一項に記載の照明システム。
【請求項６】
前記カードは、前記カートリッジ型の受け口に固定して保持し、前記光源モジュールは、前記開口部を介して、前記第一パネルから露出することを特徴とする請求項１〜５のいずれか一項に記載の照明システム。
【請求項７】
前記セル保持体と前記カートリッジ型の受け口とを互いに接続してなる組み立てセットは、オスコネクタ及びメスコネクタを有し、
前記オスコネクタ及び前記メスコネクタの一方が、前記セル保持体に配置され、
前記オスコネクタ及び前記メスコネクタの他方が前記受け口に配置され、
前記第二パネルは、第一端を有し、前記第一端には、前記オスコネクタ及び前記メスコネクタのいずれか一つが配置されることを特徴とする請求項１〜６のいずれか一項に記載の照明システム。
【請求項８】
前記カードは、陽極と陰極を有し、前記カートリッジ型の受け口は、前記陽極と前記陰極を電気的に接続する電極接触部を有することを特徴とする請求項１〜７のいずれか一項に記載の照明システム。
【発明の詳細な説明】
【技術分野】
【０００１】
本発明は、携帯用カード型の緊急照明システムに関し、更に詳しくは、カードに光源を配置する携帯用カード型の緊急照明システムに関する。
【背景技術】
【０００２】
通常、緊急照明装置は固定配置するものであり、暗い所にある使用者が照明を行う必要がある時、手で緊急照明灯を取って一時的な照明とし、しがしながら、緊急照明灯が一般に高い所にあり、使用者が高い所に登って、灯の電源プラグを引き抜くことで使用できるため、使用者にとって都合が悪くなる。従って、従来の緊急照明灯を応用することは不便である。
【０００３】
図１は、従来の粒状分布の緊急照明灯１０の例示図である。緊急照明灯１０は、複数の発光ダイオード（ＬＥＤ）１１によって照明を行う。ＬＥＤ１１は、複数の孔１４を有するパネル１２が設けられる。この緊急照明灯１０は、体積が大きすぎて、身につけて持ち歩くことが難しいので、一時的な照明として直ちに提供できない。又、緊急照明灯１０は、そのパネル１２に複数の孔１４が設けられ、粒状分布のＬＥＤ１１になるため、視覚への障害が生ずる。
【０００４】
従って、本発明者は、このような従来の課題を解決するため、実験と研究を重ねた結果、本発明の「携帯用カード型の緊急照明システム」を提供した。本発明の携帯用カード型の緊急照明システムは、便利に携帯し且つ直ちに照明を行う効果を奏する。又、本発明はソケットを介して電力源を照明装置に伝える問題をも解決する。
【発明の概要】
【発明が解決しようとする課題】
【０００５】
本発明の主な目的は、携帯用カード型の緊急照明システムを提供することにより、従来の照明装置の欠点を解決する新技術方案を提供することにある。本発明のもう一つの目的は、一時的な照明を直ちに提供し、且つ確実に便利な照明を得る緊急照明システムを提供することにある。
【課題を解決するための手段】
【０００６】
上述の目的を達成するために、本発明の携帯用カード型の緊急照明システムは、カードと、前記カードに設けられた光源と、前記カードを保持し、電源を前記光源に提供する電源ソケットとを備えてなることを特徴とし、さらに、前記電源ソケットは、前記カードを保持するカートリッジ型の受け口と、電池を保持し、前記カートリッジ型の受け口を電気的に接続するセル保持体とを更に含むことを特徴とする。
【０００７】
上記構成の本発明に係る携帯用カード型の緊急照明システムにおいて、前記カードは、光源モジュールを配置し、前記光源モジュールは、フリップチップ発光ダイオード（ＬＥＤ）素子を含む。
【０００８】
上記構成の本発明に係る携帯用カード型の緊急照明システムにおいて、前記電池は、二次電池又は光電池のいずれかであり、電力を前記光源に提供する。
【０００９】
上記構成の本発明に係る携帯用カード型の緊急照明システムにおいて、前記フリップチップＬＥＤ素子は面光源を提供し、前記面光源は１８０度の発光角度を有する。
【００１０】
上記構成の本発明に係る携帯用カード型の緊急照明システムにおいて、前記面光源は平坦な照射表面を有する。
【００１１】
上記構成の本発明に係る携帯用カード型の緊急照明システムにおいて、前記カートリッジ型の受け口は、開口部を有する第一パネル（正面パネル）と、第二パネル（背面パネル）との二つのパネルからなる組み立て部品であり、前記第一パネルと第二パネルとの間には凹槽が設けられ、前記凹槽に前記カードが差し込まれ、前記カートリッジ型の受け口は、更に電極接触部を配置して、前記照明カードの陽極と陰極を接触する。
【００１２】
上記構成の本発明に係る携帯用カード型の緊急照明システムにおいて、前記背面パネルの前側面に２Ｐコネクタのオスが設けられて、前記オスが２Ｐコネクタのメスに接続され、前記セル保持体にＡＡ３号電池又はコイン型リチウム電池が設けられる。
【００１３】
上述の目的を達成するために、本発明の携帯用カード型の緊急照明システムは、カード本体と、前記カード本体に設けられる発光源と、電力を前記発光源に提供する電源と、前記カード本体と前記電源と接続する接続素子と、を備えて成ることを特徴とする。
【００１４】
上記構成の本発明に係る照明システムにおいて、前記接続素子は、前記カード本体を配置するためのカートリッジ型の受け口であり、前記照明システムは、前記カートリッジ型の受け口と電気的に接続し、前記電源を配置するためのセル保持体を更に含み、前記電源は、二次電池であり、３Ｖの電力があるソーラー発電によって前記照明システムを繰り返し使用可能になる。
【００１５】
上述の目的を達成するために、本発明の照明システムは、カード本体と、前記カード本体に設けられる発光源と、前記カード本体に設けられ、電力を前記発光源に提供するための電源と、を備えて成ることを特徴とする。
【００１６】
上述の目的を達成するために、本発明の照明システムは、カード本体と、前記カード本体に設けられ、エネルギーを受けると、照明を提供するための発光源と、を備えて成ることを特徴とする。
【発明の効果】
【００１７】
本発明により、一時的な照明を直ちに提供でき、確実に便利な照明を得ることができる。
【発明を実施するための最良の形態】
【００１８】
以下のように、本発明を実施例に基づいて詳述するが、あくまでも例示であって、本発明の範囲はこれらの実施形態に限定されない。本発明の範囲は、特許請求の範囲に記載されており、さらに特許請求の範囲の記載と均等な意味及び範囲内での全ての変更を含んでいる。
【００１９】
本発明の目的を達成するために、本発明の実施例による技術方案を以下に説明する。
【００２０】
図２は、本発明の実施例による携帯用カード型の緊急照明システム２０の分解図である。図２によると、緊急照明システム２０は、陽極２１１と陰極２１２を有し、光源を提供するための照明カード２１と、照明カード２１を配置するためのカートリッジ型の受け口２２と、カートリッジ型の受け口２２と電気的に接続するためのセル保持体２３とを含んでいる。照明カード２１は、光源モジュールを配置し、前記光源モジュールは、フリップチップ発光ダイオード（ＬＥＤ）素子２４を含んでいる。カートリッジ型の受け口２２は、二つのパネルから成る組み立て部品であり、正面パネル２５と背面パネル２６を含む。背面パネル２６の前側面２７には、電源を入力できる２Ｐコネクタのオス２８が設けられて、オス２８がセル保持体２３の２Ｐコネクタのメス２９に接続される。即ち、電源の正極回線と負極回線が２Ｐコネクタのメス２９に接続されることにより、電力の安定性を確保できる。二次電池を使うと、ソーラー発電又は他の発電装置等に接続されることができる。又、受け口２２は、壁等に固定配置してもよく、身につけて携帯してもよい。
【００２１】
図３は、図２のような携帯用カード型の緊急照明システム２０の全体組み立て図である。図３によると、照明カード２１は、正面パネル（第一パネル）２５と背面パネル（第二パネル）２６との間に位置する。正面パネル２５の頂部３１には、凹槽３２が設けられる。凹槽３２は、フリップチップＬＥＤ素子２４に差し込むためのものである。カートリッジ型の受け口２２は、開口部３０を有する正面パネル２５と、背面パネル２６との二つのパネルから成る。照明カード２１は、凹槽３２に差し込まれ、フリップチップＬＥＤ素子２４は、開口部３０を介して、正面パネル２５から露出する。
【００２２】
図４は、図２のようなセル保持体２３が電池を配置する状態を示す図である。図４によると、セル保持体２３は、市場で簡単に購入して取得できる製品である。セル保持体２３には、二つのＡＡ３号電池４１が設けられて、組電池として形成することで電力を前記光源に提供する。又、セル保持体２３は、コイン型リチウム電池が設けられるもの（又は似ているもの）としてもよい。本発明のセル保持体２３は、市販の商用電源に限定されなく、又、あらゆる充電装置に接続してもよい。
【００２３】
フリップチップＬＥＤ素子２４は、面光源を提供し、前記面光源は発光角度を有し、その発光角度は１８０度である。前記面光源は平坦な照射表面を有し、人に安定な視覚体験を提供できる。カートリッジ型の受け口２２は、更に電極接触部（図示しない）を配置して、照明カード２１の陽極２１１と陰極２１２を接触するためのものである。前記電極接触部は、金属製の機構であり、照明カードを使う時に、電源を接触する正極と負極を確保できる。本発明の照明カード２１は、カードキー、電車カード、ＩＣカード、クレジットカード、住基カード、保健医療カードなどを応用してもよく、その長さは８．５２ｃｍであり、幅は５．４ｃｍであり、厚さは０．０６〜０．２ｃｍである。
【００２４】
又、本発明の主な構想に基づいて、本発明はもう一つの照明システム２０を含む。その照明システム２０は、カード本体２１と、カード本体２１に設けられる発光源（例えばフリップチップＬＥＤ素子２４）と、電力を前記発光源に提供する電源と、カード本体２１と前記電源と接続する接続素子（例えばカートリッジ型の受け口２２）と、を含んでいる。前記接続素子は、カートリッジ型の受け口２２としてもよく、カード本体２１を配置するためのものである。照明システム２０は、カートリッジ型の受け口２２と電気的に接続し、前記電源を配置するためのセル保持体２３を更に含む。前記電源は、二次電池としてもよく、３Ｖの電力があるソーラー発電又は他の発電装置等に接続されることによって照明システム２０を繰り返し使用可能になる。前記接続素子は、背面パネル２６を省略でき、正面パネルの二側に凸縁を形成してカード本体２１を挟み、一体形成したカートリッジ型の受け口としてもよい。
【００２５】
更に、本発明の主な構想に基づいて、本発明は更にもう一つの照明システムを含む。前記照明システムは、カード本体２１と、カード本体２１に設けられる発光源２４と、カード本体２１に設けられてもよく、電力を発光源２４に提供するための電源と、を含んでいる。この照明システムは、接続素子を省略する。なお、本発明の主な構想に基づいて、本発明はまた一つの照明システムを含む。前記照明システムは、カード本体２１と、カード本体２１に設けられ、エネルギーを受けると、照明を提供するための発光源と、を含んでいる。この照明システムは、電源を省略し（即ち、セル保持体２３を使わない）、直接に外部のエネルギーを発光源が必要とする電力に変換する。
【００２６】
本発明は、携帯用の緊急照明であり、簡単な室内照明、個人的な屋外照明及び標識照明等の用途を構造化して統合するシステムとしてもよい。本発明は、屋外活動（例えばハイキング、キャンプ、登山など）、緊急救援、方向指示、予備照明等応用でき、又、直接の電力供給を受けることが難しい地域に対し、固定の所に配置して夜間の照明としてもよい。本発明の主な構想は、低消費電力のフリップチップＬＥＤ素子を発光源とし、カード型を構成させて成り、省エネルギー、携帯可能、超薄及び１８０度の発光角度など利点を有する。本発明は従来の照明灯とは異なり、且つ需要に応じて、その構成を変動させて適用できる。
【００２７】
以上の説明によると、本発明は、照明カードにより、カートリッジ型の受け口を結合して、一時的な照明を直ちに提供でき、且つフリップチップＬＥＤ素子を利用して、確実に便利な照明を得る。当業者であれば本発明の技術思想を逸脱しない範囲で、多様な変更及び修正が可能であることが分かる。従って、本発明の技術的な範囲は、明細書の詳細な説明に記載された内容に限らず、特許請求の範囲によって定めなければならない。
【図面の簡単な説明】
【００２８】
【図１】従来の粒状分布のＬＥＤ緊急照明灯の例示図である。
【図２】本発明の実施例による携帯用カード型の緊急照明システムの分解図である。
【図３】図２のような携帯用カード型の緊急照明システムの全体組み立て図である。
【図４】図２のようなセル保持体が電池を配置する状態を示す図である。
【符号の説明】
【００２９】
１０  粒状分布の緊急照明灯
１１  ＬＥＤ
１２  パネル
１４  孔
２０  携帯用カード型の緊急照明システム
２１  照明カード
２１１  陽極
２１２  陰極
２２  カートリッジ型の受け口
２３  セル保持体
２４  フリップチップＬＥＤ素子
２５  正面パネル
２６  背面パネル
２７  前側面
２８  ２Ｐコネクタのオス
２９  ２Ｐコネクタのメス
３０  開口部
【図１】
2012018897.tif 000003
【図２】
2012018897.tif 000004
【図３】
2012018897.tif 000005
【図４】
2012018897.tif 000006